(57)【要約】【課題】浴槽と浴室壁との隙間の目隠し部材の設置施工を自由度を高めて行わせるようにできて、すっきりとした外観を現出させたり、隙間での良好な止水性を確保でき、目隠し部材の取替容易性も向上できる浴槽の配設構造を提供する。【解決手段】浴室壁２０にピース状の複数の支持具３を固着する。支持具３に設けた浴槽支持部３１によって浴槽１のフランジ部１１の外縁の垂下縁１２を支持する。対向する浴室壁２０と浴槽１の垂下縁１２との間の隙間Ｓを塞ぐように位置させたカバー体４を、支持具３に設けたカバー体固定部３０に載せるようにして固定する。【選択図】図１
2008206601.tif 000002
【特許請求の範囲】
【請求項１】
浴室壁にピース状の複数の支持具を固着し、この支持具に設けた浴槽支持部によって浴槽のフランジ部の外縁の垂下縁を支持し、対向する浴室壁と浴槽の垂下縁との間の隙間を塞ぐように位置させたカバー体を、支持具に設けたカバー体固定部に載せるようにして固定したことを特徴とする浴槽の配設構造。
【請求項２】
カバー体を、支持具のカバー体固定部に固着するベース部材と、ベース部材に対して着脱自在に係合して浴室壁と浴槽の垂下縁との隙間を塞ぐカバー部材とで構成したことを特徴とする請求項１記載の浴槽の配設構造。
【請求項３】
カバー体の上面を浴槽のフランジ部の上面と略面一に位置させたことを特徴とする請求項１又は２記載の浴槽の配設構造。
【発明の詳細な説明】
【技術分野】
【０００１】
本発明は、浴室壁に沿わせて浴槽を配設する構造に関し、詳しくは浴室壁と浴槽との隙間を目隠しする技術に関するものである。
【背景技術】
【０００２】
図４のように浴室２と浴槽１とのサイズの違いなどによって浴室壁２０と浴槽１との間に隙間Ｓが生じることがあるが、この隙間Ｓを塞いで目隠しするためには、たとえば図５のように目隠し部材Ｍとしてのカウンター部材７を配設することが知られている（たとえば特許文献１参照）。
【０００３】
詳しくは、このカウンター部材７は、浴槽１と隙間Ｓを介して位置する浴室壁２０に片持ち状に固着した支持具３にその一端が固定され、他端で浴槽１のフランジ部１１の外縁の垂下縁１２を載せて支持するようにされている。
【０００４】
しかしながら、上記カウンター部材７によって浴槽１を載せるように支持させた構造によって浴室壁２０と浴槽１との隙間Ｓの目隠しを行わせたことでは、カウンター部材７は浴槽１のフランジ部１１の上面よりも下方位置（詳しくは垂下縁１２の下端位置）に配置されねばならなくて施工の自由度が無く、しかも、浴槽１の垂下縁１２と浴室壁２０とカウンター部材７とで隙間Ｓの一部を残すような凹所７ａを形成してしまうこととなって、すっきりとした外観を現出できないばかりか、凹所７ａの底となるカウンター部材７上に浴水が溜まって浴室壁２０と浴槽１との隙間Ｓ内に浴水が浸入する恐れも高いという問題を有している。更に言うと、溜まった浴水によりカウンター部材７は汚れる等して劣化し易く、これを取り替えようとした場合、カウンター部材７は上記のように一端で浴槽１を支持しているので、カウンター部材７の取替えに伴って支持を解除させるために浴槽１をずらしたりする必要も生じ、煩雑な取替作業が強いられるという問題もある。
【特許文献１】実開昭６１−１１６５９１号公報
【発明の開示】
【発明が解決しようとする課題】
【０００５】
本発明は上記の点に鑑みてなされたものであり、その目的とするところは、浴槽と浴室壁との隙間の目隠し部材の設置施工を自由度を高めて行わせるようにできて、すっきりとした外観を現出させたり、隙間での良好な止水性を確保でき、目隠し部材の取替容易性も向上できる浴槽の配設構造を提供することを課題とするものである。
【課題を解決するための手段】
【０００６】
上記課題を解決するために請求項１に係る浴槽の配設構造にあっては、浴室壁２０にピース状の複数の支持具３を固着し、この支持具３に設けた浴槽支持部３１によって浴槽１のフランジ部１１の外縁の垂下縁１２を支持し、対向する浴室壁２０と浴槽１の垂下縁１２との間の隙間Ｓを塞ぐように位置させたカバー体４を、支持具３に設けたカバー体固定部３０に載せるようにして固定したことを特徴とする。これによると、浴槽１を支持する支持具３に対して目隠し部材Ｍとしてのカバー体４を固定させる構造によって浴室壁２０と浴槽１との隙間Ｓの目隠しを行わせたので、浴室壁２０と浴槽１との隙間Ｓの目隠し部材Ｍを、従来のように浴槽１のフランジ部１１の上面よりも下方位置に配置したり、浴槽１のフランジ部１１と略同高さ位置に配置したりでき、つまり、目隠し部材Ｍの配置高さを自由に設定できるのであって、目隠し部材Ｍの設置施工の自由度を高めることができたものである。
【０００７】
また、請求項２に係る浴槽の配設構造にあっては、請求項１において、カバー体４を、支持具３のカバー体固定部３０に固着するベース部材４０と、ベース部材４０に対して着脱自在に係合して浴室壁２０と浴槽１との隙間Ｓを塞ぐカバー部材４１とで構成したことを特徴とする。これによると、浴水に触れるカバー体４が劣化して取替の必要が生じたとしても、ベース部材４０はそのままにして浴水に触れるカバー部材４１のみを取替ればよく、目隠し部材Ｍ（カバー体４）の取替にかかる作業を簡単化できると共に取替にかかるコストを低減できる。
【０００８】
また、請求項３に係る浴槽の配設構造にあっては、請求項１又は２において、カバー体４の上面を浴槽１のフランジ部１１の上面と略面一に位置させたことを特徴とする。これによると、カバー体４が浴槽１のフランジ部１１から連なるようにできて、すっきりした外観を現出できると共に、カバー体４の上に浴水が溜まって浴室壁２０と浴槽１との隙間Ｓ内に浴水が浸入する恐れも無くすることができる。
【発明の効果】
【０００９】
本発明にあっては、浴槽と浴室壁との隙間の目隠しを施工の自由度を高めて行わせるようにできて、すっきりとした外観を現出させたり、隙間での良好な止水性を確保でき、目隠し部材の取替容易性も向上できる、という利点を有する。
【発明を実施するための最良の形態】
【００１０】
以下、本発明を添付図面に示す実施形態に基いて説明する。
【００１１】
浴室２は床パン２１の周縁に浴室壁２０を立設させて形成されており、浴槽１は洗い場２２を残すように床パン２１の一側に偏らせて載置して浴室２に配設される。浴槽１は、上方に開口せる入浴用凹部１０の上縁部から略水平外方にフランジ部１１が延出されると共に、浴槽１の外縁となるフランジ部１１の外縁には垂下縁１２が下方に延出され、平面視で略矩形状に形成されている。浴槽１を浴室２に配設する際には、浴槽１は浴室２の浴室壁２０に浴槽１の３辺の垂下縁１２を沿わせるように配設するのであり、浴槽１の外縁のうち浴室２の浴室壁２０に沿わない残りの一辺の部分は洗い場２２に臨むのであり、この部分には床パン２１から立設したエプロン１３が取外し自在に接続され、浴槽１内部の空間が浴室２に露出しないようにされている。
【００１２】
通常、浴室２及び浴槽１は、浴室２の浴室壁２０と浴槽１の外縁とを隙間無く沿わせ得るように同サイズに形成したものがセットとして用いられるのであるが、本例の浴槽１には浴室２のサイズよりも一回り小さい浴槽１を用いており、浴室壁２０と浴槽１の外縁との間には隙間Ｓが生じてしまうようになっている（図４参照）。なお、本例では浴槽１の端縁における一対の短辺側部位と浴室壁２０との間にそれぞれ隙間Ｓが生じており、この隙間Ｓは浴室壁２０と浴槽１のフランジ部１１との間から上方に開口せる上開口部Ｓ１と、浴室壁２０とエプロン１３との間から側方（洗い場２２側）に開口せる側開口部Ｓ２とを有している。しかしながら、この隙間Ｓは、図２のように、各開口部Ｓ１，Ｓ２が各目隠し部材Ｍ（上カバー体４、側カバー体５、側端キャップ部材６）によって閉塞されて隙間Ｓの目隠しが行われることとなる。
【００１３】
隙間Ｓの上開口部Ｓ１は図１のように目隠し部材Ｍとしての上カバー体４で閉塞されて隙間Ｓの目隠しが行われる。この上カバー体４は浴槽１を浴室２に固定させる支持具３に対して取り付けられる。ここで、支持具３は金属製のピース材であり、浴槽１の側縁における間隔を有した数箇所を浴室壁２０に固定させるため複数個用いられている。たとえば本例では浴槽１の短辺側側縁の２箇所を浴室壁２０に固定させるべく、浴槽１の短辺側側縁に対して２個の支持具３が用いられている。また、本例の浴槽１の短辺部分の垂下縁１２は下方にいく程外側に位置するように形成されており、隙間Ｓの上開口部Ｓ１は下方ほど幅狭くなるように形成されている。
【００１４】
支持具３は、一枚の金属板で形成されたもので、その一端部に浴室壁２０に固定する浴室壁固着部３２を有すると共に、他端部に浴槽１の垂下縁１２を下方から覆うように挟持するクランプ状の浴槽支持部３１を有し、更に浴室壁固着部３２と浴槽支持部３１との間にカバー体固定部３０とを有して構成されている。詳しくは、浴室壁固着部３２は浴室壁２０に沿わせる縦片部３ａで構成され、この縦片部３ａには浴室壁２０に打入するネジ等の壁固着具２４を挿通するための壁固着具用貫通孔３３が上下に長い長孔状に形成されている。カバー体固定部３０は浴室壁固着部３２の縦片部３ａの上端から略水平に延出して隙間Ｓの上開口部Ｓ１に臨んで露出する横片部３ｂで構成され、この横片部３ｂには後述のベース部材４０を固着させるためのネジ等のベース固着具２５を螺合させるベース固着具用ネジ孔３４が穿設されている。浴槽支持部３１は浴槽１の垂下縁１２を内外から挟持するための一対の挟持片部３ｃを有し、この一対の挟持片部３ｃは下端で連結され、外側の挟持片部３ｃの上端がカバー体固定部３０の横片部３ｂに接続されている。一対の挟持片部３ｃの間には上方から浴槽１の垂下縁１２が挿入（圧入）されるのであるが、その挿入をスムーズに行わせるため一対の挟持片部３ｃの上部にはそれぞれ互いに離間するような傾斜片状にされた挿入ガイド部３１ａが形成されている。
【００１５】
上カバー体４は、別体で着脱自在の、支持具３のカバー体固定部３０に固着するベース部材４０と、ベース部材４０に対して着脱自在に係合して浴室壁２０と浴槽１との隙間Ｓを塞ぐカバー部材４１とで構成されている。本例の上カバー体４は浴室壁２０と浴槽１の短辺側側縁との間にできる隙間Ｓの上開口部Ｓ１を閉塞するものであり、ベース部材４０やカバー部材４１は浴槽１の短辺寸法と同寸法の長さを有する長尺材で構成されている。なお、ベース部材４０やカバー部材４１を構成する長尺材はそれぞれ同じ縦断面が長さ方向に連続する横長形状に形成されている。
【００１６】
ベース部材４０は、各支持具３のカバー体固定部３０に載せて固定される水平板状のベース基部４２を有し、ベース基部４２の幅方向の中央部には隙間Ｓを隔てて一対の取着用凸条４３が並んで立設され、またベース基部４２の幅方向の端部には凸条４２ａが立設されている。これら取着用凸条４３の上端部には外方（対向方向と逆方向）へ突出するベース爪部４３ａが突設されている。一対の取着用凸条４３の間のベース基部４２にはベース固着具２５を挿通させるベース固着具用貫通孔４４が穿設されている。なお、ベース部材４０の幅寸法は少なくとも隙間Ｓの上開口部Ｓ１の幅寸法よりも短く形成されている。
【００１７】
カバー部材４１は上面が浴室２に露出される水平板状のカバー基部４６を有し、このカバー基部４６の下面部における幅方向の中央部にはベース部材４０の一対の取着用凸条４３が挿入されて嵌合される取着用凹条部４７が設けられている。この取着用凹条部４７はカバー基部４６の下面から下方に突設した一対の垂下片４６ａ，４６ａによって形成された下方に開口せる凹条部であり、各垂下片４６ａ，４６ａの下端には内方（対向方向）へ突出するカバー爪部４７ａが突設されている。カバー基部４６の下面部における幅方向の端部には凸条４６ｂが垂設されており、ベース部材４０とカバー体４１とを取り付けたときこの凸条４６ｂは凸条４２ａに嵌合状態となる。カバー基部４６の幅方向端部のうち一方には浴室壁２０に弾接させる浴室壁弾接部４８が設けられ、他方には浴槽１の垂下縁１２に弾接させる浴槽弾接部４９が設けられている。なお、カバー部材４１の幅寸法は少なくとも隙間Ｓの上開口部Ｓ１の幅寸法よりも長く形成されている。また、各弾接部４８，４９には、浴室壁２０や浴槽１に追従させて隙間無く弾接させるため、先端程厚みを薄く形成した軟質材料で成るひれ片を好適に用いることができる。
【００１８】
この上カバー体４によって隙間Ｓの上開口部Ｓ１を閉塞させるには、図１のように、浴室壁固着部３２にて浴室壁２０に片持ち状に固定されて浴槽支持部３１にて浴槽１の垂下縁１２を挟持させた各支持具３のカバー体固定部３０に対してベース部材４０を架け渡すように載せ、ベース固着具２５をベース部材４０のベース固着具用貫通孔４４を通して支持具３のベース固着具用ネジ孔３４に螺着させることで各支持具３に対してベース部材４０を固定し、ベース爪部４３ａとカバー爪部４７ａとを係合させつつベース部材４０の取着用凸条４３にカバー部材４１の取着用凹条部４７を嵌合させることでベース部材４０に対してカバー部材４１を着脱自在に取り付ける、といったように行われている。なお、本例では上カバー体４の上面（詳しくはカバー部材４１のカバー基部４６の上面）は、浴槽１のフランジ部１１の上面と略面一状（詳しくはやや上方位置に位置するように）に位置されている。
【００１９】
このように上カバー体４による隙間Ｓの上開口部Ｓ１の目隠しが、浴槽１を支持する支持具３に対して目隠し部材Ｍとしての上カバー体４を固定させる構造を用いて行われているので、浴室壁２０と浴槽１との隙間Ｓの目隠し部材Ｍを、従来のように浴槽１のフランジ部１１の上面よりも下方位置に配置したり、浴槽１のフランジ部１１と略同高さ位置に配置したりでき、つまり、目隠し部材Ｍの配置高さを自由に設定できるのであって、目隠し部材Ｍの設置施工の自由度を高めることができたものである。そして、本例では上述のように上カバー体４の上面を浴槽１のフランジ部１１の上面と略面一に位置させている。これにより、上カバー体４が浴槽１のフランジ部１１から連なるようにできて、すっきりした外観を現出できると共に、上カバー体４の上に浴水が溜まって浴室壁２０と浴槽１との隙間Ｓ内に浴水が浸入する恐れも無くし得るようにされている。更に言うと、ベース部材４０のベース固着具用貫通孔４４は取着用凸条４３に囲まれたベース基部４２に穿設しているので、取着用凸条４３が止水壁として機能してベース固着具用貫通孔４４に浴水を至らせないようにでき、隙間Ｓにおける止水性の向上やベース固着具２５等の劣化を防止することもできる。また、本例の上カバー体４は、支持具３のカバー体固定部３０に固着するベース部材４０と、ベース部材４０に対して着脱自在に係合して浴室壁２０と浴槽１との隙間Ｓを塞ぐカバー部材４１とで構成されており、これにより、浴水に触れるカバー体が劣化して取替の必要が生じたとしても、ベース部材４０はそのままにして浴水に触れるカバー部材４１のみを取替ればよく、上カバー体４の取替にかかる作業の簡単化や取替にかかるコストの低減化が図られている。
【００２０】
また、隙間Ｓの側開口部Ｓ２は図３のように目隠し部材Ｍとしての側カバー体５で閉塞されて隙間Ｓの目隠しが行われる。この側カバー体５は浴室壁２０に対して取り付けられる。ここで、エプロン１３は、洗い場２２に臨む正面板部１４を有しており、この正面板部１４の周縁には裏方に突出するフランジ縁１５が形成され、上縁部のフランジ縁１５には洗い場２２に臨む浴槽１の垂下縁１２の裏側に沿わせて係止させるための係止片１６が形成されている。また、本例のエプロン１３の側端部分のフランジ縁１５は裏方にいく程外側に位置するように形成されており、浴室壁２０とエプロン１３のフランジ縁１５との隙間部分である上記隙間Ｓの側開口部Ｓ２は裏方ほど幅狭くなるように形成されている。
【００２１】
側カバー体５は、上カバー体４と同様に、別体で着脱自在な長尺のベース部材５０とカバー部材５１とで構成されている。ベース部材５０やカバー部材５１を構成する長尺材はそれぞれ同じ横断面が長さ方向に連続する縦長形状に形成されている。
【００２２】
ベース部材５０は、鉛直板状のベース基部５２を有し、ベース基部５２の幅方向の端部のうち一方には浴室壁固着部５３が設けられ、他方にはエプロン係止部５４が設けられている。また、ベース基部５２の幅方向の中央部には後述のカバー部材５１の一対の取着用凸条５７が挿入されて嵌合される取着用凹条部５５が設けられている。詳しくは、浴室壁固着部５３は、ベース基部５２の一端部に亙って裏側に延出して浴室壁２０に沿わせてその外側面全面を当接させる固着用突片部５２ａを有すると共に、この固着用突片部５２ａの複数箇所に穿設した壁固着具用貫通孔３３を有している。壁固着具用貫通孔３３は上下に長い長孔状に形成されている。エプロン係止部５４は、ベース基部５２の他端部に亙って表側に突出する引掛け凸条５２ｃにて形成されている。また、取着用凹条部５５はベース基部５２の表面から表側に突設した一対の突出片５２ｂによって形成された表側に開口せる凹条部であり、各突出片５２ｂの突出先端部には内方（対向方向）へ突出するベース爪部５５ａが突設されている。
【００２３】
カバー部材５１は、表面が浴室２に露出される鉛直板状のカバー基部５６を有し、このカバー基部５６の裏面部における幅方向の中央部にはベース部材５０の取着用凹条部５５に挿入させて嵌合される一対の取着用凸条５７が設けられている。これら取着用凸条５７はこれら取着用凸条５７の突出先端部には外方（対向方向と逆方向）へ突出するカバー爪部５７ａが突設されている。また、カバー基部５６の幅方向の端部のうち一方には浴室壁２０に当接させる浴室壁当接部５８が設けられ、他方にはエプロン１３の側端のフランジ縁１５に当接させるエプロン当接部５９が設けられている。浴室壁当接部５８はカバー基部５６の幅方向の一端部を裏方に屈曲させた形状に形成されており、エプロン当接部５９はカバー基部５６の幅方向の他端部の端面を裏方ほど内方に位置する丸みを持たせた傾斜端面状にすることで形成されている。なお、隙間Ｓの上開口部Ｓ１と側開口部Ｓ２との開口幅（隙間Ｓ幅）は略同寸法であるから、上カバー体４及び側カバー体５の幅寸法は略同寸法に形成されている。
【００２４】
この側カバー体５によって隙間Ｓの側開口部Ｓ２を閉塞させるには、図３のように、ベース部材５０を浴室壁固着部５３にて浴室壁２０に片持ち状に固定すると共に、ベース部材５０のエプロン係止部５４にエプロン１３の側端のフランジ縁１５をその内側から係止させた状態にすることで、ベース部材５０を隙間Ｓの側開口部Ｓ２を塞ぐように配置し、そして、カバー爪部５７ａとベース爪部５５ａとを係合しつつ取着用凸条５７と取着用凹条部５５とを嵌合させることで、このベース部材５０にカバー部材５１を取り付けるといったように行われる。このとき、カバー部材５１は幅方向の両端の各当接部５８，５９が浴室壁２０やエプロン１３の側端のフランジ縁１５に当接されるのであり、つまりカバー部材５１も隙間Ｓの側開口部Ｓ２を塞ぐように配置される。このように隙間Ｓの側開口部Ｓ２は、側カバー体５を構成する２部材（ベース部材５０、カバー部材５１）で閉塞されるから、良好な止水性能が確保されている。また、本例の側カバー体５はエプロン１３の正面板部１４の表面と略面一状態にして隙間Ｓの側開口部Ｓ２を閉塞している。
【００２５】
なお詳しくは、本例の側カバー体５はエプロン１３の正面板部１４の上端位置にまで至るように形成されており、つまり、側カバー体５は隙間Ｓの側開口部Ｓ２のエプロン１３の正面板部１４の側方隣接部位Ｓ２ａを閉塞している。隙間Ｓの側開口部Ｓ２にはエプロン１３の正面板部１４の側方隣接部位Ｓ２ａの残余部分として浴槽１の洗い場２２側の垂下縁１２の側方隣接部位Ｓ２ｂが存在するが、この隙間Ｓの側開口部Ｓ２における浴槽１の洗い場２２側の垂下縁１２の側方隣接部位Ｓ２ｂは上カバー体４の側端キャップ部材６で閉塞させている。ここで、側端キャップ部材６は鉛直板状のキャップ基部６０とキャップ基部６０の裏方に突出する係合脚６１とを有しており、係合脚６１を上カバー体４のカバー部材４１とベース部材４０との間に挿入係止することで側端キャップ部材６が上カバー体４に対して固定されるのであり、このとき側端キャップ部材６のキャップ基部６０の上縁が上カバー体４のカバー部材４１の上面に連続すると共に下縁が側カバー体５のカバー部材５１の表面と略面一状に連続可能にされている。つまり、隙間Ｓの側開口部Ｓ２は全体として側カバー体５と側端キャップ部材６とで完全に閉塞されて目隠しが行われるようになっている。そして、本例の浴槽１と浴室壁２０との隙間Ｓに配置した目隠し部材Ｍ（上カバー体４、側カバー体５、側端キャップ部材６）はいずれも、隣接する浴槽１やエプロン１３と略面一状に連続するようにして該隙間Ｓの目隠しを行っており、浴室壁２０と浴槽１との隙間Ｓの略全体で良好な外観の確保が図られているのである。
【図面の簡単な説明】
【００２６】
【図１】本発明の実施の形態の例の浴槽の配設構造であり、（ａ）は要部（隙間の上開口部付近）の縦断面図であり、（ｂ）は（ａ）の分解斜視図である。
【図２】同上の全体の斜視図である。
【図３】（ａ）は要部（隙間の側開口部付近）の水平断面図であり、（ｂ）は（ａ）の分解斜視図である。
【図４】従来技術の問題点を示す斜視図である。
【図５】従来技術の他例であり、（ａ）は一部切欠斜視図であり、（ｂ）は要部の側断面図である。
【符号の説明】
【００２７】
１  浴槽
２  浴室
３  支持具
４  カバー体（上カバー体）
１１  フランジ部
１２  垂下縁
２０  浴室壁
３０  カバー体固定部
Ｍ  目隠し部材
Ｓ  隙間
【図１】
2008206601.tif 000003
【図２】
2008206601.tif 000004
【図３】
2008206601.tif 000005
【図４】
2008206601.tif 000006
【図５】
2008206601.tif 000007